(57)【要約】      （修正有）【課題】下半身を覆って隠しながら、紙おむつの上に排便できる排便用遮蔽スカートを提供する。【解決手段】下半身を被覆可能な布製のスカート本体１を備え、スカート本体１の両側に、手を抜挿するための開口１１をそれぞれ設け、両端が開口した筒状の手挿通部１２の一端を開口１１の内縁に固定してある。【選択図】図１
0003171436.tif 000002
【実用新案登録請求の範囲】
【請求項１】
下半身を被覆可能な布製のスカート本体と、紙おむつとを備え、前記スカート本体の両側に、手を抜挿するための開口をそれぞれ設け、両端が開口した筒状の手挿通部の一端を前記開口の内縁に固定しことを特徴とする、排便用遮蔽スカート。
【請求項２】
前記スカート本体は下半身に巻き付け可能な横長状に形成され、前記スカート本体の両側縁に、互いに着脱自在に係合する雄ファスナーと雌ファスナーをそれぞれ設けたことを特徴とする、請求項１に記載の排便用遮蔽スカート。
【請求項３】
前記開口は、下方が外側に向くよう傾斜したスリット状であることを特徴とする、請求項１に記載の排便用遮蔽スカート。
【考案の詳細な説明】
【技術分野】
【０００１】
本考案は、便意を催しても直ちにトイレに行けない時に、他人に見られることなく排便することができる排便用遮蔽スカートに関する。
【背景技術】
【０００２】
高速道路等で交通渋滞が起こると、車内で急に便意を催してもトイレに行くことができない。また、外出時にトイレを見付けられない場合も重大な悩みとなる。
【考案の概要】
【考案が解決しようとする課題】
【０００３】
本考案が解決しようとする課題は、下半身を覆って隠しながら、紙おむつの上に排便できる排便用遮蔽スカートを提供することにある。
【課題を解決するための手段】
【０００４】
本考案の排便用遮蔽スカートは、下半身を被覆可能な布製のスカート本体と、紙おむつとを備え、前記スカート本体の両側に、手を抜挿するための開口をそれぞれ設け、両端が開口した筒状の手挿通部の一端を前記開口の内縁に固定してある。
スカート本体を装着して下半身を覆い、紙おむつを椅子等に敷き、開口から手を挿入して服装を解き、紙おむつの上に排便する。
前記スカート本体を下半身に巻き付け可能な横長状に形成し、前記スカート本体の両側縁に、互いに着脱自在に係合する雄ファスナーと雌ファスナーをそれぞれ設けてもよい。
前記開口は、下方が外側に向くよう傾斜したスリット状にするとよい。
【考案の効果】
【０００５】
本考案によれば、長距離運転中或いはトイレが見つからない時に、スカート本体で下半身を覆い、他人に見られることなく、紙おむつの上に排便することができるので、トイレで排泄できない状態で急に便意を催しても困ることがない。
また、開口及び手挿通部を通して手をスカート本体内に挿入し、簡単に衣服の着脱を行なうことができ、この時、手挿通部で隠蔽されて開口からスカート本体内部が見られるのを防ぐ。
【図面の簡単な説明】
【０００６】
【図１】本考案の実施例を示す排便用遮蔽スカートの斜視図である。
【図２】本考案の実施例を示す排便用遮蔽スカートの使用時における斜視図である。
【図３】本考案の実施例に係るスカート本体の使用時における斜視図である。
【図４Ａ】本考案の実施例に係る紙おむつの折りたたみ途中の斜視図である。
【図４Ｂ】本考案の実施例に係る紙おむつの折りたたみ後の斜視図である。
【考案を実施するための形態】
【０００７】
以下、本考案の実施例を図面に基づいて詳細に説明する。
図１に示すように、本考案の排便用の遮蔽スカートは、下半身を被覆可能な布製のスカート本体１と、紙おむつ２とを備える。
スカート本体１は、下半身に巻き付けることができる寸法の横長状に形成される。スカート本体１の両側縁には、互いに着脱自在に係合する雄ファスナー１３と雌ファスナー１４をそれぞれ設けてある。
【０００８】
また、スカート本体１の両側部には、それぞれ下方が外側に向くよう傾斜したスリット状の開口１１を形成し、両端が開口した筒状の手挿通部１２の一端を開口１１の内縁に固定してある。
なお、スカート本体１は、巻きスカート状とせず、下半身を取り囲むように予め筒状に縫製してあってもよい。
紙おむつ２は、高い水分吸収性能を有し、外面には防水層が形成されている。また、図に示す例では、紙おむつ２は円形であるが、紙おむつ２の上に座って排便できる大きさであれば、特にその形状は限定されない。
【０００９】
この排便用遮蔽スカートを使用するには、図２に示すように、スカート本体１を下半身に巻いた後に、雄ファスナー１３と雌ファスナー１４とを係合してスカート本体１を固定し、下半身を隠蔽する。また、紙おむつ２を椅子等に敷いて、紙おむつ２の上に座る。
そして、図３に示すように、手をスカート本体１の開口１１から差し込んで手挿通部１２に通し、スカート本体１の内部で服装を解き、紙おむつ２の上に排便する。
開口１１は下方が外側に向くよう傾斜しているので手を差し込み易く、手挿通部１２で遮蔽されているため、スカート本体１の中に差し込んだ手やスカート本体１の内部を開口１１から盗み見られることもない。
使用した後は、紙おむつ２の両端部を中央に向けて内面側へ折り曲げ（図４Ａ）、その後、筒状に巻き（図４Ｂ）、汚れを包みこんで捨てることができる。
【００１０】
上記説明は本考案の好ましい実施例に関し、本考案の要旨を逸脱しない修飾・変更を行なっても、本考案の権利範囲に含まれる。
【符号の説明】
【００１１】
１    スカート本体
２    紙おむつ
１１  開口
１２  手挿通部
１３  雄ファスナー
１４  雌ファスナー
【図１】
0003171436.tif 000003
【図２】
0003171436.tif 000004
【図３】
0003171436.tif 000005
【図４Ａ】
0003171436.tif 000006
【図４Ｂ】
0003171436.tif 000007
【手続補正書】
【提出日】平成23年8月31日(2011.8.31)
【手続補正１】
【補正対象書類名】明細書
【補正対象項目名】０００４
【補正方法】変更
【補正の内容】
【０００４】
本考案の排便用遮蔽スカートは、下半身を被覆可能な布製のスカート本体を備え、前記スカート本体の両側に、手を抜挿するための開口をそれぞれ設け、両端が開口した筒状の手挿通部の一端を前記開口の内縁に固定してある。
スカート本体を装着して下半身を覆い、紙おむつを椅子等に敷き、開口から手を挿入して服装を解き、紙おむつの上に排便する。
前記スカート本体を下半身に巻き付け可能な横長状に形成し、前記スカート本体の両側縁に、互いに着脱自在に係合する雄ファスナーと雌ファスナーをそれぞれ設けてもよい。
前記開口は、下方が外側に向くよう傾斜したスリット状にするとよい。
【手続補正２】
【補正対象書類名】明細書
【補正対象項目名】０００７
【補正方法】変更
【補正の内容】
【０００７】
以下、本考案の実施例を図面に基づいて詳細に説明する。
図１に示すように、本考案の排便用の遮蔽スカートは、下半身を被覆可能な布製のスカート本体１を備える。
スカート本体１は、下半身に巻き付けることができる寸法の横長状に形成される。スカート本体１の両側縁には、互いに着脱自在に係合する雄ファスナー１３と雌ファスナー１４をそれぞれ設けてある。
【手続補正３】
【補正対象書類名】実用新案登録請求の範囲
【補正対象項目名】請求項１
【補正方法】変更
【補正の内容】
【請求項１】
下半身を被覆可能な布製のスカート本体を備え、前記スカート本体の両側に、手を抜挿するための開口をそれぞれ設け、両端が開口した筒状の手挿通部の一端を前記開口の内縁に固定したことを特徴とする、排便用遮蔽スカート。